(57)【特許請求の範囲】
【請求項１】
ユーザ機器（ＵＥ）に、
２６より大きい第１のトランスポートブロックサイズ（ＴＢＳ）インデックスを判断すべく、進化型ＮｏｄｅＢ（ｅＮＢ）から受信される第１のダウンリンク制御情報（ＤＣＩ）を処理する段階であって、前記第１のＤＣＩに対応する巡回冗長検査（ＣＲＣ）は、ページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）以外の無線ネットワーク一時識別子（ＲＮＴＩ）によりスクランブルされている、段階と、
前記第１のＴＢＳインデックスに基づいてＴＢＳを選択する段階と、
第１のダウンリンク送信を処理すべく前記ＴＢＳを使用する段階と、
２６より大きな第２のＴＢＳインデックスを判断すべく、ＤＣＩフォーマット１Ａで前記ｅＮＢから受信される第２のＤＣＩを処理する段階であって、前記第２のＤＣＩに対応するＣＲＣは、Ｐ−ＲＮＴＩ、ＳＩ−ＲＮＴＩ、又はＲＡ−ＲＮＴＩによってスクランブルされている、段階と、
前記第２のＴＢＳインデックスが２６より大きいことに基づいて、前記第２のＤＣＩを破棄する段階と
を実行させるためのプログラム。
【請求項２】
前記ＵＥに、
前記第２のＤＣＩに基づいて変調及び符号化スキーム（ＭＣＳ）インデックスを判断し、前記第２のＴＢＳインデックスを前記ＭＣＳインデックスに等しくセットする段階をさらに実行させるための、請求項１に記載のプログラム。
【請求項３】
前記ＵＥは、２５６直交振幅変調変換を処理する請求項１又は２に記載のプログラム。
【請求項４】
前記ＵＥに、
格納テーブルを参照することにより、前記第１のＴＢＳインデックスに基づいて前記ＴＢＳを判断する段階をさらに実行させるための、請求項１又は２に記載のプログラム。
【請求項５】
前記ＵＥに、
送信パワー制御（ＴＰＣ）コマンドの最下位ビット（ＬＳＢ）が０である場合に列インジケータを２に等しくセットし、前記ＴＰＣコマンドの前記ＬＳＢが０に等しくない場合に前記列インジケータを３に等しくセットする段階と、
さらに前記列インジケータに基づいて前記ＴＢＳを判断する段階と
をさらに実行させるための、請求項４に記載のプログラム。
【請求項６】
請求項１から５のいずれか１項に記載のプログラムを格納するコンピュータ可読記録媒体。
【請求項７】
進化型ＮｏｄｅＢ（ｅＮＢ）との無線通信を容易にする無線周波数（ＲＦ）フロントエンドと、
ページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされているＤＣＩフォーマット１Ａを有するダウンリンク制御情報（ＤＣＩ）を、前記ＲＦフロントエンドを介して前記ｅＮＢから受信し、
前記ＤＣＩがトランスポートブロックサイズ（ＴＢＳ）テーブルの行を参照することを判断し、
２６より大きい前記行に基づく前記ＤＣＩを破棄する前記ＲＦフロントエンドと結合された通信回路とを備え、
前記行は、前記ＴＢＳテーブルに存在し、２６より大きい、ユーザ機器（ＵＥ）。
【請求項８】
前記ＤＣＩは第１のＤＣＩであって、前記行は第１の行であり、前記通信回路はさらに、
前記ｅＮＢから前記ＲＦフロントエンドを介して、Ｐ−ＲＮＴＩ、ＳＩ−ＲＮＴＩ、又はＲＡ−ＲＮＴＩ以外の無線ネットワーク一時識別子（ＲＮＴＩ）によりスクランブルされた第２のＤＣＩを受信し、
前記ＴＢＳテーブルの第２の行を前記第２のＤＣＩが参照することを判断し、
前記ＤＣＩを前記ＴＢＳテーブルに基づくＴＢＳを判断するために利用し、前記第２の行は２６より大きい、請求項７に記載のＵＥ。
【請求項９】
前記通信回路は、さらに、前記ＴＢＳに基づいて物理ダウンリンク共有チャネル（ＰＤＳＣＨ）送信を処理する、請求項８に記載のＵＥ。
【請求項１０】
前記通信回路は、２５６−直交振幅変調を有するように構成される、請求項９に記載のＵＥ。
【請求項１１】
前記通信回路は、さらに、前記ＤＣＩに基づいて変調及び符号化スキーム（ＭＣＳ）インデックスを判断し、
ＴＢＳインデックスを前記ＭＣＳインデックスに等しくなるようにセットし、前記ＴＢＳインデックスに基づいて前記ＴＢＳテーブルの前記行を判断する、請求項７から１０のいずれか１項に記載のＵＥ。
【請求項１２】
前記通信回路は、さらに、送信パワー制御（ＴＰＣ）コマンドの最下位ビット（ＬＳＢ）が０である場合、列インジケータを２に等しくなるようにセットし、前記ＴＰＣコマンドの前記ＬＳＢが０に等しくない場合には、前記列インジケータを３に等しくなるようにセットし、
前記列インジケータに基づいて前記ＴＢＳテーブルの列を判断する、請求項１１に記載のＵＥ。
【請求項１３】
２５６−直交振幅変調（ＱＡＭ）送信を処理するように構成されるユーザ機器（ＵＥ）に、
進化型ＮｏｄｅＢ(ｅＮＢ)からダウンリンク制御情報（ＤＣＩ）を受信する手順であって、前記ＤＣＩは、トランスポートブロックサイズ（ＴＢＳ）テーブルの行を参照しており、前記行は、２６より大きく、かつ、２５６−ＱＡＭに関連する、手順と、
ページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされた巡回冗長検査（ＣＲＣ）を有するＤＣＩフォーマット１Ａを、前記ｅＮＢから受信した前記ＤＣＩが有するか否かを判断する手順と、
前記ＤＣＩが前記ＤＣＩフォーマット１Ａを有する場合、２６より大きい、前記ＤＣＩにおいて参照された、前記行に基づいて前記ＤＣＩを破棄する手順と、
前記ＤＣＩが前記ＤＣＩフォーマット１Ａを有していない場合、前記ＤＣＩを利用して、前記ＴＢＳテーブルに基づくＴＢＳを判断する手順と
を実行させるためのプログラム。
【請求項１４】
前記ＵＥに、
前記ＤＣＩに基づいて変調及び符号化スキーム（ＭＣＳ）インデックスを判断する手順と、
ＴＢＳインデックスを前記ＭＣＳインデックスに等しくセットする手順と
を実行させるための、請求項１３に記載のプログラム。
【請求項１５】
前記ＵＥに、格納ＴＢＳテーブルを参照することにより、ＴＢＳインデックスに基づいて前記ＴＢＳを判断する手順を実行させるための、請求項１３又は１４に記載のプログラム。
【請求項１６】
前記ＵＥに、
送信パワー制御（ＴＰＣ）コマンドの最下位ビット（ＬＳＢ）が０である場合に列インジケータを２に等しくセットし、前記ＴＰＣコマンドの前記ＬＳＢが０に等しくない場合に前記列インジケータを３に等しくセットする手順と、
さらに前記列インジケータに基づいて前記ＴＢＳを判断する手順と
を実行させるための、請求項１５に記載のプログラム。
【請求項１７】
請求項１３から１６のいずれか１項に記載のプログラムを格納するコンピュータ可読記録媒体。
【請求項１８】
２５６−直交振幅変調（ＱＡＭ）送信を処理するように構成されるユーザ機器（ＵＥ）であって、
進化型ＮｏｄｅＢ（ｅＮＢ）との無線通信を容易にする無線周波数（ＲＦ）フロントエンドと、
前記ＲＦフロントエンドを介して、進化型ＮｏｄｅＢ(ｅＮＢ)からダウンリンク制御情報（ＤＣＩ）を受信し、前記ＤＣＩは、トランスポートブロックサイズ（ＴＢＳ）テーブルの行を参照しており、前記行は、２６より大きく、かつ、２５６−ＱＡＭに関連しており、
ページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされた巡回冗長検査（ＣＲＣ）を有するＤＣＩフォーマット１Ａを、前記ｅＮＢから受信した前記ＤＣＩが有するか否かを判断し、
前記ＤＣＩが前記ＤＣＩフォーマット１Ａを有する場合、２６より大きい、前記ＤＣＩにおいて参照された、前記行に基づいて前記ＤＣＩを破棄し、
前記ＤＣＩが前記ＤＣＩフォーマット１Ａを有していない場合、前記ＤＣＩを利用して、前記ＴＢＳテーブルに基づくＴＢＳを判断する
前記ＲＦフロントエンドと結合された通信回路と
を備えるＵＥ。
【請求項１９】
前記通信回路は、さらに、
前記ＤＣＩに基づいて変調及び符号化スキーム（ＭＣＳ）インデックスを判断し、
ＴＢＳインデックスを前記ＭＣＳインデックスに等しくセットする、請求項１８に記載のＵＥ。
【請求項２０】
前記通信回路は、格納ＴＢＳテーブルを参照することにより、ＴＢＳインデックスに基づいて前記ＴＢＳを判断する、請求項１８又は１９に記載のＵＥ。
【請求項２１】
前記通信回路は、さらに、
送信パワー制御（ＴＰＣ）コマンドの最下位ビット（ＬＳＢ）が０である場合に列インジケータを２に等しくセットし、前記ＴＰＣコマンドの前記ＬＳＢが０に等しくない場合に前記列インジケータを３に等しくセットし、
前記列インジケータに基づいて前記ＴＢＳテーブルの列を判断する、請求項２０に記載のＵＥ。
【請求項２２】
２５６−直交振幅変調（ＱＡＭ）送信を処理するように構成されるユーザ機器（ＵＥ）により実行される方法であって、
ｅＮＢからダウンリンク制御情報（ＤＣＩ）を受信する段階であって、前記ＤＣＩは、トランスポートブロックサイズ（ＴＢＳ）テーブルの行を参照しており、前記行は、２６より大きく、かつ、２５６−ＱＡＭに関連する、段階と、
ページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされた巡回冗長検査（ＣＲＣ）を有するＤＣＩフォーマット１Ａを、前記ｅＮＢから受信した前記ＤＣＩが有するか否かを判断する段階と、
前記ＤＣＩが前記ＤＣＩフォーマット１Ａを有する場合、２６より大きい、前記ＤＣＩにおいて参照された、前記行に基づいて前記ＤＣＩを破棄する段階と、
前記ＤＣＩが前記ＤＣＩフォーマット１Ａを有していない場合、前記ＤＣＩを利用して、前記ＴＢＳテーブルに基づくＴＢＳを判断する段階と
を備える方法。
【請求項２３】
前記ＤＣＩに基づいて変調及び符号化スキーム（ＭＣＳ）インデックスを判断する段階と、
ＴＢＳインデックスを前記ＭＣＳインデックスに等しくセットする段階と
をさらに備える、請求項２２に記載の方法。
【請求項２４】
前記ＴＢＳテーブルに基づく前記ＴＢＳを判断する段階は、格納ＴＢＳテーブルを参照することにより、ＴＢＳインデックスに基づいて前記ＴＢＳを判断する段階を含む、請求項２２又は２３に記載の方法。
【請求項２５】
送信パワー制御（ＴＰＣ）コマンドの最下位ビット（ＬＳＢ）が０である場合に列インジケータを２に等しくセットし、前記ＴＰＣコマンドの前記ＬＳＢが０に等しくない場合に前記列インジケータを３に等しくセットする段階と、
さらに前記列インジケータに基づいて前記ＴＢＳを判断する段階と
をさらに備える、請求項２２から２４のいずれか１項に記載の方法。
【発明の詳細な説明】
【技術分野】
【０００１】
［関連出願の相互参照］
本出願は、２０１４年１２月２３日に出願された"Ｍｅｔｈｏｄｓ，  Ｓｙｓｔｅｍｓ，  ａｎｄ  Ｄｅｖｉｃｅｓ  ｆｏｒ  Ｍｏｄｕｌａｔｉｏｎ  ａｎｄ  Ｃｏｄｉｎｇ  Ｓｃｈｅｍｅ  Ｓｉｇｎａｌｌｉｎｇ  ｆｏｒ  Ｃｏｍｍｏｎ  Ｃｏｎｔｒｏｌ  Ｃｈａｎｎｅｌ"と題する米国特許出願番号第１４／５８１，６１９号に対し、優先権を主張し、当該出願は、２０１４年３月２０日に出願された"ＭＣＳ  Ｓｉｇｎａｌｌｉｎｇ  ｆｏｒ  Ｃｏｍｍｏｎ  Ｃｏｎｔｒｏｌ  Ｃｈａｎｎｅｌ  Ｃｏｎｆｉｇｕｒｅｄ  ｗｉｔｈ  ２５６  Ｍｏｄｕｌａｔｉｏｎ"と題する米国仮特許出願番号第６１／９６８，２８３号に対し優先権を主張する出願である。ここで、あらゆる目的のためにそれらの明細書全体は、存在する場合には、本明細書に矛盾するそれらのセクションを除いて、参照によって本明細書に組み込まれる。
【０００２】
本開示の複数の実施形態は、一般的に、無線通信の技術分野に関し、より具体的には、共通制御チャネルに対してシグナリングする変調及び符号化スキームについての方法、システム、及びデバイスに関する。
【背景技術】
【０００３】
２５６直角位相振幅変調（２５６−ＱＡＭ）の新たな変調スキームが、第３世代パートナシッププロジェクト（３ＧＰＰ）ロングタームエボリューション（ＬＴＥ）ネットワークにおいてダウンリンク送信について導入される。４位相シフトキーイング（ＱＰＳＫ）、１６ＱＡＭ及び６４ＱＡＭのような既存の変調スキームに比較されるように、この新たな変調スキームはスペクトル効率性を向上し得る。しかし、レガシ及び先進ユーザ機器（ＵＥ）の連携動作を複雑化し得る。
【図面の簡単な説明】
【０００４】
複数の実施形態は、以下の詳細な説明と併せて複数の添付図面を参照することにより、容易に理解されるであろう。この説明を容易にするために、同様の参照番号は、同様の構造的要素を指す。複数の実施形態は、複数の添付図面の複数の図において複数の例示の方法で示されるものであり、限定の方法で示されるものではない。
【０００５】
【図１】様々な実施形態に係る無線通信環境を概略的に示す。
【０００６】
【図２】様々な実施形態に係るユーザ機器（ＵＥ）を動作する方法を示すフローチャートである。
【０００７】
【図３】様々な実施形態に係る進化型ＮｏｄｅＢ（ｅＮＢ）を動作させる方法を示すフローチャートである。
【０００８】
【図４】本明細書で説明される様々な実施形態を実施するために使用され得る例示のシステムのブロック図である。
【発明を実施するための形態】
【０００９】
以下の詳細な説明において、同様の参照番号は全体を通して同様の部分を指し、明細書中で実施され得る説明の形態によって示され得る本明細書の一部を形成する添付図面が参照される。本開示の範囲から逸脱することなく、他の実施形態が利用されてよく、構造的又は論理的な変更が行われてよいことが理解されるべきである。
【００１０】
様々な動作が、特許請求の範囲の主題の理解に最も有用な態様で、複数の別個の作用又は動作として順番に記載されてよい。しかしながら、記載の順序は、これらの動作が必ず順序に依存することを示唆するものとして解釈されるべきではない。特に、これらの動作は、提示の順序で実行されなくてよい。記載される複数の動作は、記載される実施形態と異なる順序で実行されてよい。様々な追加の動作が実行されてよく、及び／又は記載される複数の動作は、追加の複数の実施形態においては省略されてよい。
【００１１】
本開示の目的について、用語「又は」は、包括的な用語として使用される用語に結合されたコンポーネントの少なくとも一つを意味する。例えば、「Ａ又はＢ」という語句は、「Ａ」、「Ｂ」、又は「Ａ及びＢ」を意味し、「Ａ、Ｂ、又はＣ」という語句は、「Ａ」、「Ｂ」、「Ｃ」、「Ａ及びＢ」、「Ａ及びＣ」、「Ｂ及びＣ」、又は「Ａ、Ｂ及びＣ」を意味する。
【００１２】
詳細な説明は、「一実施形態において」又は「複数の実施形態において」という語句を用いてよく、これらは各々、同一又は異なる複数の実施形態のうちの１又は複数を指してよい。さらに、「備える」、「含む」、「有する」等の用語は、本開示の複数の実施形態に関して使用されるように同義である。
【００１３】
本明細書で使用されるように"回路"という用語は、１又は複数のソフトウェア又はファームウェアプログラム、組み合わせ論理回路、及び／又は記載された機能を提供する他の適切なハードウェアコンポーネントを実行する、特定用途向け集積回路（ＡＳＩＣ）、電子回路、プロセッサ（共有、専用、又はグループ）及び／又はメモリ（共有、専用、又はグループ）を指してよく、それらの一部であってよく、又はそれらを含んでよい。
【００１４】
図１は、様々な実施形態に従う無線通信環境１００を概略的に示す。環境１００は、進化型ＮｏｄｅＢ（ｅＮＢ）１０８と無線通信する、ユーザ機器（ＵＥ）１０４を備え得る。ｅＮＢ１０８は、第３世代パートナーシッププロジェクト（３ＧＰＰ）ロングタームエボリューション（ＬＴＥ）又はロングタームエボリューションアドバンスド（ＬＴＥ−Ａ）ネットワークの進化型ユニバーサル地上波無線アクセスネットワーク（ＥＵＴＲＡＮ）のアクセスノードであってよい。ｅＮＢ１０８は、ＥＵＴＲＡＮ及び他の複数のノード、例えば、ＥＵＴＲＡＮと結合された進化型パケットコア（ＥＰＣ）のノードと無線通信するためにＵＥ１０４により使用され得る無線セルを提供し得る。
【００１５】
ＵＥ１０４は、示されるように、互いに結合された無線周波数（ＲＦ）フロントエンド１１０、通信回路１１２、及び制御回路１１６を有し得る。ＲＦフロントエンド１１０は、ｅＮＢ１０８との無線接続を提供及び維持することにより、ｅＮＢ１０８との無線通信を容易にし得る。ＲＦフロントエンド１１０は、無線接続にわたるＲＦ信号の転送を容易にする様々なフロントエンドＲＦ処理動作を実行し得る。これらのフロントエンドＲＦ処理動作は、限定されないが、フィルタリング、変換、増幅等を含んでよい。
【００１６】
通信回路１１２は、ＲＦフロントエンド１１０からＲＦ信号を受信し、及びそこへとＲＦ信号を提供してよい。通信回路１１２は、無線リソースを管理、及び無線接続にわたってデータを転送するための様々なアクセス層（ＡＳ）処理動作を提供してよい。ＡＳ処理動作は、限定されないが、無線リソース制御（ＲＲＣ）動作、パケットデータ収束プロトコル（ＰＤＣＰ）動作、無線リンク制御（ＲＬＣ）動作、媒体アクセス制御（ＭＡＣ）動作、物理（ＰＨＹ）層動作等を含んでよい。
【００１７】
制御回路１１６は、データを交換し、信号を制御すべく、通信回路１１２とインタフェースしてよい。制御回路１１６は、限定されないが、認証動作、セキュリティ制御動作、ページング動作を実行すること等のような、様々な非アクセス層（ＮＡＳ）処理動作を提供してよい。幾つかの実施形態において、制御回路１１６は、限定されないが、インターネットプロトコル（ＩＰ）動作、転送動作、アプリケーション動作等のような他のより上位の層動作を追加的又は代替的に提供し得る。
【００１８】
ｅＮＢ１０８は、互いに結合された、ＲＦフロントエンド１１８、通信回路１２０、及び制御回路１２４を有してよい。ＲＦフロントエンド１１８、通信回路１２０、及び制御回路１２４は、ＲＦフロントエンド１１０、通信回路１１２、及び制御回路１１６それぞれに関して上に記載されたものと同様の複数の動作を一般的に実行し得る。しかしながら、幾つかの実施形態において、制御回路１１６のＮＡＳ動作の幾つか又は全ては、ｅＮＢ１０８ではなく、ＥＰＣノードの制御回路において実行されてよい。
【００１９】
ＵＥ１０４及びｅＮＢ１０８は、複数のＥＵＴＲＡＮ物理チャネル及び複数の信号を使用して、互いに通信してよい。例えば、ダウンリンクにおける物理チャネルは、ＵＥ１０４についてのダウンリンク割り当て情報及びアップリンク割り当て認証を伝送する物理ダウンリンク制御チャネル（ＰＤＣＣＨ）、ＰＤＣＣＨの長さの信号を送るのに使用される物理制御フォーマット指示チャネル（ＰＣＦＩＣＨ）、アップリンク送信からの承認を伝送するのに使用される物理ハイブリッド自動再送要求指示チャネル（ＰＨＩＣＨ）、転送ブロックにおけるデータを伝送するのに使用される物理ダウンリンク共有チャネル（ＰＤＳＣＨ）、単一の周波数ネットワークを使用したブロードキャスト送信のために使用される物理マルチキャストチャネル（ＰＭＣＨ）、及びセル内で基本システム情報をブロードキャストするのに使用される物理ブロードキャストチャネル（ＰＢＣＨ）を含み得る。様々な同期及び参照信号も、ダウンリンクにおいて送信されてよい。
【００２０】
従来、ＰＤＳＣＨ上でサポートされた変調スキームは、ＱＰＳＫ、１６ＱＡＭ、及び６４ＱＡＭを備える。しかしながら、上で言及されたように、さらに最近の３ＧＰＰリリースは、２５６ＱＡＭの使用を記載する。理解されるであろうが、２５６ＱＡＭは、信号空間ダイヤグラムが２５６の点を有するデジタル変調スキームを指す。この変調スキームの追加は、複数の先進及びレガシＵＥの相互運用を複雑化し得る。
【００２１】
アップリンクにおける物理チャネルは、例えば、初期アクセス及びＵＥ１０４がそのアップリンクとの同期を失う場合について使用される物理ランダムアクセスチャネル（ＰＲＡＣＨ）、例えば、制御情報と共にアップリンク転送データを伝送するのに使用される物理アップリンク共有チャネル（ＰＵＳＣＨ）、並びに、例えば、制御情報を伝送するのに使用される物理アップリンク制御チャネル（ＰＵＣＣＨ）を含み得る。
【００２２】
複数の無線ネットワーク一時識別子（ＲＮＴＩ）は、別の無線チャネルから１つの特定の無線チャネルを特定すべく、又は別のユーザから１のユーザを特定すべく、ＥＵＴＲＡＮにおいて使用され得る。特定の目的のために使用される多くの異なるタイプのＲＮＴＩが存在し得る。例えば、ページングＲＮＴＩ（Ｐ−ＲＮＴＩ）は、ページングメッセージのために使用されてよく、システム情報ＲＮＴＩ（ＳＩ−ＲＮＴＩ）は、システム情報ブロック（ＳＩＢ）メッセージのために使用されてよく、ランダムアクセスＲＮＴＩ（ＲＡ−ＲＮＴＩ）はランダムアクセス応答のために使用されてよく、セルＲＮＴＩ（Ｃ−ＲＮＴＩ）は、特定のＵＥへの送信のために使用されてよく、一時Ｃ−ＲＮＴＩ（Ｔ−ＣＲＮＴＩ）は、ランダムアクセス手順中に使用されてよく、半永続的スケジューリングＣ−ＲＮＴＩ（ＳＰＳ−Ｃ−ＲＮＴＩ）、送信パワー制御（ＴＰＣ）−ＰＵＣＣＨ−ＲＮＴＩ、ＴＰＣ−ＰＤＳＣＨ−ＲＮＴＩ、及びマルチメディアブロードキャストマルチキャストサービス（Ｍ）−ＲＮＴＩのようなＲＮＴＩも存在し得る。
【００２３】
これらのＲＮＴＩは、複数の無線チャネルメッセージの巡回冗長検査（ＣＲＣ）部分をスクランブルすべく使用され得る。従って、正確なＲＮＴＩを識別するＵＥのみが、受信された無線チャネルメッセージをデスクランブル及びコヒーレント処理することが可能であろう。一般的に、ＵＥ１０４の通信回路１１２内のＭＡＣ又はレイヤ１コントローラは、無線チャネルメッセージをデコードするためにどのＲＮＴＩを使用すべきかについて通信回路１１２のＰＨＹに命令し得る。ＭＡＣ／ＬＩコントローラは、コンテクスト情報に基づいて適切なＲＮＴＩを判断し得る。例えば、ＰＨＹがＳＩＢを伝送するサブフレームをデコードすべきである場合、ＭＡＣ／ＬＩコントローラは、ＳＩ−ＲＮＴＩを用いてメッセージをデスクランブルすべくＰＨＹに命令し得る。
【００２４】
ダウンリンクチャネルの処理において、ＵＥ１０４は、まず使用されるＰＤＳＣＨ変調スキーム及びトランスポートブロックサイズ（ＴＢＳ）を判断し得る。この情報は、ダウンリンク又はアップリンクスケジューリング情報を転送する、ＰＤＣＣＨダウンリンク制御情報（ＤＣＩ）から直接的又は間接的に導出されてよい。幾つかの実施形態において、ＤＣＩは、ＵＥ１０４がストアされた変調及び符号化スキーム（ＭＣＳ）テーブルを参照すべく使用し得る、５ビットＭＣＳインデックス、ＩＭＣＳを特定し得る。しかしながら、ＤＣＩのＣＲＣが、Ｐ−ＲＮＴＩ、ＲＡ−ＲＮＴＩ、又はＳＩ−ＲＮＴＩによってスクランブルされている場合、ストアされるＭＣＳテーブルは、適用可能でなくともよい。そのような場合において、変調スキームは、ページングメッセージ、システム情報及びランダムアクセス応答を転送する場合に常に使用される変調スキームであり得るＱＰＳＫとして固定され得、ＴＢＳインデックスは、ＭＣＳインデックスに等しくセットされ得る。ＴＢＳの判断は、その後、表１のＴＢＳインデックス及び列ＮＰＲＢの組み合わせに依存し得る。ここで、ＤＣＩにおける送信パワー制御（ＴＰＣ）コマンドの最上位ビット（ＭＳＢ）が予約され、ＴＰＣコマンドの最下位ビット（ＬＳＢ）は、列ＮＰＲＢを示す（ＬＳＢ＝０の場合、ＮＰＲＢ＝２であり、それ以外の場合、ＮＰＲＢ＝３である。）。  ＤＣＩがＤＣＩフォーマット１Ａについてである場合、ＴＢＳは、ＴＢＳインデックス及びＮＰＲＢを使用して下記の表１から選択され得る。フォーマット１Ａ  ＣＲＣがＣ−ＲＮＴＩによってスクランブルされる場合、ＤＣＩフォーマット１Ａは、ＰＤＳＣＨのコンパクトスケジューリング、又はＰＤＣＣＨオーダによって開始されるランダムアクセス手順を提供すべく、ダウンリンクリソース割り当てＤＣＩのために使用されてよい。
【表１】
0006504674.tif 000002
ＰＵＣＣＨについてのＤＣＩフォーマット１Ａを有するＤＣＩ内の２ビットＴＰＣコマンドの最下位ビットが０である場合、フォーマットＩＡ  ＣＲＣがＲＡ−ＲＮＴＩ、Ｐ−ＲＮＴＩ又はＳＩ−ＲＮＴＩによりスクランブルされているときには、Ｎ１ＡＰＲＢ＝２であり、それ以外の場合にはＮ１ＡＰＲＢ＝３である。ＵＥ１０４は、その後、列インジケータ、ＮＰＲＢをＮ１ＡＰＲＢにセットする。従って、ＮＰＲＢ＝２及びＮＰＲＢ＝３についての列のみが、ＳＩ−ＲＮＴＩ、ＲＡ−ＲＮＴＩ、又はＰ−ＲＮＴＩ（ＳＩ／ＲＡ／Ｐ−ＲＮＴＩ）によりスクランブルされたＤＣＩのＣＲＣを有するＤＣＩによって参照されるＰＤＳＣＨのために使用されてよい。
【００２５】
ＩＴＢＳは、３２の値に関連付けられた５ビットインジケータを有する信号を送られるが、表１は、２７の行（０から２６）のみを提供する。従って、ＩＴＢＳ＝２７、２８、２９、３０及び３１は、複数のレガシシステムにおいて、ＳＩ／ＲＡ／Ｐ−ＲＮＴＩによりスクランブルされるＤＣＩのＣＲＣを有する、ＤＣＩによって参照されるＰＤＳＣＨのために使用されなくてもよい。
【００２６】
追加の行が、２５６ＱＡＭをサポートすべく、ＴＢＳテーブルに追加されてよい。例えば、表２は追加の行２７−３１を伴って示される。行２７−３１において示される値は、限定的ではない。他の複数の実施形態は、複数の他の値及び他の数の行を含み得る。
【表２】
0006504674.tif 000003
【００２７】
ＵＥ１０４が、２５６ＱＡＭによって構成される先進的なＵＥであり、ＩＭＣＳは、ＳＩ／ＲＡ／Ｐ−ＲＮＴＩによりスクランブルされたＤＣＩのＣＲＣを有するＤＣＩを介してシグナリングされる場合、ＮＰＲＢ＝２の場合、ＵＥ１０４は、ＴＢＳが１６７２になるように導き得るが、しかしながら、レガシＵＥは、追加的なＴＢＳインデックス２７−３１を認識することが不可能であり得る。これらのインデックスはレガシシステムにおいては存在しないからである。ＳＩ／ＲＡ／Ｐ−ＲＮＴＩによりスクランブルされたＤＣＩのＣＲＣを有するＤＣＩにより参照されるＰＤＳＣＨは、レガシＵＥ（２５６ＱＡＭによって構成されないもの）及び先進的ＵＥ（２５６ＱＡＭによって構成されるもの）の両方を含む可能性がある複数のＵＥのための共通のチャネルであってよいので、このケースは、複数の先進ＵＥのみがＤＣＩを認識可能であるので望ましくないであろう。
【００２８】
幾つかの実施形態において、上に言及した関心事項に対処すべく、２６より大きいＩＭＣＳの値、例えば、ＩＭＣＳ＝２７、２８、２９、３０及び３１は、ＳＩ／ＲＡ／Ｐ−ＲＮＴＩによりスクランブルされたＤＣＩのＣＲＣを有するＤＣＩフォーマット１Ａで利用できなくともよい。そのような場合において、ＵＥ１０４がＩＭＣ＝２７、２８、２９、３０、又は３１を検出する場合、ＵＥ１０４は、ＤＣＩを矛盾するものとみなし得、ＤＣＩの内容を破棄し得、従って、ＨＡＲＱバッファにおいて組み合わせるソフトバッファが存在しないであろう。幾つかの実施形態において、この制約は、２５６ＱＡＭを伴って構成される先進ＵＥのみに対して適用されてよい。
【００２９】
幾つかの実施形態において、ＵＥ１０４が、ＳＩ／ＲＡ／Ｐ−ＲＮＴＩによりスクランブルされたＤＣＩのＣＲＣを有するＤＣＩフォーマット１ＡにおけるＩＭＣＳ＝２７、２８、２９、３０又は３１を検出する場合、ＵＥ１０４は、そのケースを挙動が特定されないエラーケースと考え得る。従って、挙動は、上に記載された矛盾する判断と同一になり得るか、又は、例えば、特定の実装がされた別のものにもなり得る。
【００３０】
図２は、幾つかの実施形態に係る、ＵＥ１０４のＤＣＩ処理動作２００を図示するフローチャートである。幾つかの実施形態において、ＤＣＩ処理動作２００は、通信回路１１２により実行されてよい。幾つかの実施形態において、ＤＣＩ処理動作２００の幾つか又は全ては、他の複数のコンポーネント、例えばＲＦフロントエンド１１０又は制御回路１１６により実行されてよい。ＵＥ１０４は、実行される場合、ＵＥ１０４にＤＣＩ処理動作２００の幾つか又は全てを実行させる命令を有する、１又は複数の非一時的コンピュータ可読媒体を有し得る。
【００３１】
ＤＣＩ処理動作２００は、２０４において、ＤＣＩを受信することを含み得る。ＤＣＩは、ＰＤＣＣＨ送信においてＵＥ１０４により受信されてよい。幾つかの実施形態において、通信回路１１２は、ＲＦフロントエンド１１０からＤＣＩを受信してよい。
【００３２】
ＤＣＩ処理動作２００は、２０８において、ＤＣＩがＤＣＩフォーマット１Ａについてであり、ＣＲＣがＳＩ／ＲＡ／Ｐ−ＲＮＴＩによりスクランブルされるか否かを判断する段階を含んでよい。ＲＮＴＩ判断規則は、３ＧＰＰＴＳ  ３６．３２１  ｖｌ２．０．０（２０１４−０１−０７）において、特定され得る。
【００３３】
ＲＮＴＩを伴うＤＣＩの検出は、ＵＥ１０４においてブラインド検出によりなされ得る。ＰＤＣＣＨのブラインドデコーディングの全ての試行（例えば、単一の構成されコンポーネントキャリアにおいて４４回までの）において、ＵＥ１０４は、各ＲＮＴＩをデスクランブルしようと試み得る。デスクランブルの後に、ＣＲＣが正確なことが分かる場合、ＰＤＣＣＨ検出が成功した。
【００３４】
２０８において、ＤＣＩがＤＣＩフォーマット１Ａについてのものでないと判断されるか、又はＤＣＩがＳＩ／ＲＡ／Ｐ−ＲＮＴＩによりスクランブルされないことが判断される場合、ＤＣＩ処理動作２００は、２１２へ進行し得る。２１２において、ＤＣＩ処理動作２００は、ＴＢＳを選択すべくＤＣＩを使用する段階を含み得る。ＤＣＩを使用したＴＢＳの選択は、表２に関して上で説明されたものと同様に実行され得る。ＴＢＳの選択に従って、ＵＥ１０４は、選択されたＴＢＳに基づいて、ＤＣＩに関連した、ＰＤＳＣＨをデコードし得る。
【００３５】
２０８において、ＤＣＩが、ＤＣＩフォーマット１Ａについてであること及びＳＩ／ＲＡ／Ｐ−ＲＮＴＩによってスクランブルされたＣＲＣについてであることが判断された場合、ＤＣＩ処理動作２００は２１６に進行し得る。２１６において、ＤＣＩ処理動作２００は、ＤＣＩがＵＥ１０４においてストアされるＴＢＳテーブルの行０−２６のいずれかを参照するか否かを判断する段階を含み得る。ＤＣＩが参照するのがどの行かを判断する段階は上に説明されたものと同様に行われてよい。例えば、ＩＴＢＳは、ＤＣＩにおいて送信される５ビットＩＭＣＳ値にセットされ得、ＴＢＳテーブルの行を判断すべく使用され得る。
【００３６】
２１６において、ＤＣＩがＴＢＳテーブルの行０−２６のいずれかを参照することが判断される場合、ＤＣＩ処理動作２００は、２１２に進行し得る。この点において、ＵＥ１０４は、ＴＢＳを選択し、ＴＢＳに基づいて関連付けられたＰＤＳＣＨをデコードすべくＤＣＩを使用し得る。
【００３７】
２１６において、ＤＣＩがＴＢＳテーブルの行０−２６のいずれかを参照しないこと、例えば、ＤＣＩが、２６より大きい行を参照することが判断された場合には、ＤＣＩ処理動作２００は、２２０に進行し得る。２２０において、ＤＣＩ処理動作２００は、ＤＣＩを破棄する段階を含み得る。たとえ参照行がＴＢＳテーブル内に存在する場合でさえも、ＤＣＩは破棄され得る。ＤＣＩが破棄されるので、ＰＤＳＣＨに対するリソース割り当ては、有効でないものとして考えられ得る。従って、ＵＥ１０４は、ＰＤＳＣＨをデコードしようと試みなくともよい。
【００３８】
図３は、幾つかの実施形態に係るｅＮＢ１０８のメッセージ生成動作３００を図示するフローチャートである。幾つかの実施形態において、メッセージ生成動作３００は、通信回路１２０により実行されてよい。幾つかの実施形態において、メッセージ生成動作３００の幾つか又は全ては、他の複数のコンポーネント、例えば、ＲＦフロントエンド１１８又は制御回路１２４により実行されてよい。ｅＮＢ１０８は、実行される場合、ｅＮＢ１０８にメッセージ生成動作３００の幾つか又は全てを実行する段階を引き起こす命令を含む、１又は複数の非一時的コンピュータ可読媒体を有し得る。
【００３９】
メッセージ生成動作３００は、３０４において、ＤＣＩがＳＩ／ＲＡ／Ｐ−ＲＮＴＩによりスクランブルされたＤＣＩ  ＣＲＣを有してＤＣＩフォーマット１Ａで送信されるか否かを判断する段階を有してよい。幾つかの実施形態において、この判断は、ＰＤＣＣＨ送信が、ページング、ランダムアクセス、又はシステム情報の目的のためにＰＤＳＣＨのダウンリンクリソースを割り当てて送信されるとの判断により行われてよい。
【００４０】
ＤＣＩが、３０４においてＳＩ／ＲＡ／Ｐ−ＲＮＴＩによりスクランブルされたＤＣＩ  ＣＲＣを有するＤＣＩフォーマット１Ａで送信されると判断される場合、メッセージ生成動作３００は、３０８において、ＴＢＳテーブルの行０−２６に見られる値にＴＢＳを制限する段階を有し得る。これは、０＜ＩＭＣＳ＜２６であることを確実にすることにより行われ得る。 ＩＴＢＳがＳＩ／ＲＡ／Ｐ−ＲＮＴＩによりスクランブルされたＣＲＣを有するＤＣＩフォーマット１ＡについてのＩＭＣＳにセットされる場合、前の制限はまた０＜ＩＴＢＳ＜２６であることを確実にする。ＰＤＳＣＨは、１より多いＵＥに対して、送信されるので、従って、レガシ及び先進的ＵＥの両方を含み得るので、ＴＢＳ値の制限は、レガシ及び先進的ＵＥの両方の相互運用を促進し得る。
【００４１】
３０４からメッセージ生成動作３００は、３１２に進行し得る。これは、ＤＣＩを有するダウンリンク送信を生成することを含む。メッセージ生成動作３００が３０８から３１２へ進行する場合、ダウンリンク送信は、２６より大きくない値をとるように制限されたＭＣＳインデックス値と、ＳＩ／ＲＡ／Ｐ−ＲＮＴＩによってスクランブルされたＣＲＣとを含むＤＣＩを有するように生成されてよい。ダウンリンク送信は、ＲＦフロントエンド１１８を介して、ｅＮＢ１０８から送信されてよい。
【００４２】
３０４において、ＤＣＩフォーマット１ＡでＤＣＩが送信されない、又はＳＩ／ＲＡ／Ｐ−ＲＮＴＩ以外のＲＮＴＩ、例えば、Ｃ−ＲＮＴＩによりスクランブルされたＤＣＩ  ＣＲＣを有するものと判断された場合、メッセージ生成動作３００は、直接的に３１２に進行し得る。メッセージ生成動作３００が、３０４から直接的に３１２に進行する場合、ダウンリンク送信は、ＭＣＳインデックスのフィールドサイズ、例えば５ビット以外は制限されていないＭＣＳインデックス値を有するＤＣＩを伴って生成されてよい。
【００４３】
本明細書に記載される複数の実施形態は、任意の適切に構成されるハードウェア及び／又はソフトウェアを使用してシステムに実装されてよい。図４は、一実施形態について、少なくとも示されるように互いに結合される、無線周波数（ＲＦ）回路４０４、ベースバンド回路４０８、アプリケーション回路４１２、メモリ／ストレージ４１６、ディスプレイ４２０、カメラ４２４、センサ４２８、入出力（Ｉ／Ｏ）インタフェース４３２、及び通信インタフェース４３６を有する例示のシステムを示す。
【００４４】
アプリケーション回路４１２は、限定されないが、１又は複数のシングルコア又はマルチコアのプロセッサのような回路を含み得る。プロセッサは、複数の汎用プロセッサ及び専用プロセッサ（例えば、グラフィクプロセッサ、アプリケーションプロセッサ等）の任意の組み合わせを含み得る。複数のプロセッサは、メモリ／ストレージ４１６と結合され得、システム上で実行する様々なアプリケーション及び／又はオペレーティングシステムを可能にすべく、メモリ／ストレージにストアされる複数の命令を実行するよう構成され得る。
【００４５】
ベースバンド回路４０８は、限定されないが、１又は複数のシングルコア又はマルチコアプロセッサのような回路を含み得る。プロセッサは、ベースバンドプロセッサを含み得る。ベースバンド回路は、ＲＦ回路を介して１又は複数の無線ネットワークとの通信を可能とする様々な無線制御機能を処理し得る。無線制御機能は、限定されないが、信号変調、エンコード、デコード、無線周波数シフティング等を含み得る。幾つかの実施形態において、ベースバンド回路は、１又は複数の無線技術と互換性がある通信を提供し得る。例えば、幾つかの実施形態においてベースバンド回路は、ＥＵＴＲＡＮ及び／又は他の無線首都圏ネットワーク（ＷＭＡＮ）、無線ローカルエリアネットワーク（ＷＬＡＮ）、無線パーソナルエリアネットワーク（ＷＰＡＮ）との通信をサポートし得る。ベースバンド回路が、１より多い無線プロトコルの無線通信をサポートするよう構成される複数の実施形態は、マルチモードベースバンド回路として称され得る。
【００４６】
様々な実施形態において、ベースバンド回路４０８は、ベースバンド周波数にあるものとして厳密に考慮されない複数の信号を伴って動作する回路を含み得る。例えば、幾つかの実施形態において、ベースバンド回路は、ベースバンド周波数と無線周波数との間の中間周波数を有する複数の信号とともに動作する回路を含み得る。
【００４７】
ＲＦ回路４０４は、非固体の媒体を通る変調された電磁放射を使用して無線ネットワークとの通信を可能にし得る。様々な実施形態において、ＲＦ回路４０４は、無線ネットワークとの通信を容易にするための複数のスイッチ、フィルタ、増幅器等を含み得る。
【００４８】
様々な実施形態において、ＲＦ回路４０４は、無線周波数にあるものとして厳密に考えられない複数の信号によって動作する回路を含み得る。例えば、幾つかの実施形態において、ＲＦ回路４０４は、ベースバンド周波数と無線周波数との間の中間周波数を有する複数の信号によって動作する回路を含み得る。
【００４９】
幾つかの実施形態において、ベースバンド回路、アプリケーション回路、及び／又はメモリ／ストレージの構成コンポーネントの幾つか又は全ては、システム・オン・ア・チップ（ＳＯＣ）上で一緒に実装されてよい。
【００５０】
システム４００がＵＥ、例えば、ＵＥ１０４である複数の実施形態において、制御回路１１６は、アプリケーション回路４１２において具現化され得、通信回路１１２は、ベースバンド回路４０８において具現化され得、ＲＦフロントエンド１１０は、ＲＦ回路４０４において具現化され得る。様々な実施形態は、アーキテクチャにおいて、幾つかの変形形態を含み得る。例えば、制御回路１１６の幾つか又は全てが、ベースバンド回路４０８に実装されてよく、通信回路１１２の幾つか又は全ては、ＲＦ回路４０４に実装されてよい等である。
【００５１】
システム４００がｅＮＢ、例えば、ｅＮＢ１０８である複数の実施形態において、制御回路１２４は、アプリケーション回路４１２において具現化されてよく、通信回路１２０は、ベースバンド回路４０８において具現化されてよく、ＲＦフロントエンド１１８は、ＲＦ回路４０４において具現化されてよい。様々な実施形態は、アーキテクチャにおいて、幾つかの変形を含み得る。例えば、制御回路１２４の幾つか又は全ては、ベースバンド回路４０８に実装されてよく、通信回路１２０の幾つか又は全ては、ＲＦ回路４０４に実装されてよい等である。
【００５２】
メモリ／ストレージ４１６は、例えば、システムのためにデータ及び／又は複数の命令をロード及びストアするために使用されてよい。一実施形態のためのメモリ／ストレージ４１６は、適切な揮発性メモリ（例えば、ダイナミックランダムアクセスメモリ（ＤＲＡＭ））及び／又は不揮発性メモリ（例えば、フラッシュメモリ）の任意の組み合わせを含んでよい。
【００５３】
様々な実施形態において、通信インタフェース４３６は、１又は複数の有線ネットワーク、例えばイーサネット（登録商標）ネットワークとの通信を容易にすべく設計されたインタフェースであってよい。幾つかの実施形態において、通信インタフェース４３６は、同軸、ツイストペア、又は光ファイバ物理メディアインタフェースにわたって通信するよう設計されてよい。
【００５４】
様々な実施形態において、Ｉ／Ｏインタフェース４３２は、システムとのユーザ相互作用を可能とするよう設計された１又は複数のユーザインタフェース及び／又はシステムとの周辺コンポーネントの相互作用を可能とするよう設計されたペリフェラルコンポーネントインタフェースを含んでよい。複数のユーザインタフェースは、限定されないが、物理キーボード又はキーパッド、タッチパッド、スピーカ、マイク等を含んでよい。ペリフェラルコンポーネントインタフェースは、限定されないが、不揮発性メモリポート、ユニバーサルシリアルバス（ＵＳＢ）ポート、オーディオジャック、及びパワー供給インタフェースを含んでよい。
【００５５】
様々な実施形態において、センサ４２８は、システムに関する環境の状態及び／又は位置情報を判断するための１又は複数のセンシングデバイスを含んでよい。幾つかの実施形態において、センシングデバイスは、限定されないが、ジャイロセンサ、加速度計、近接センサ、周辺光センサ、及び測位ユニットを含んでよい。測位ユニットはまた、測位ネットワーク、例えばグローバル測位システム（ＧＰＳ）衛星のコンポーネントとの通信をするためのベースバンド回路及び／又はＲＦ回路の一部であり得、又はそれらと相互作用してもよい。
【００５６】
様々な実施形態において、ディスプレイ４２０は、ディスプレイ（例えば液晶ディスプレイ、タッチスクリーンディスプレイ等）を含んでよい。
【００５７】
様々な実施形態において、システム４００は、限定されないが、ラップトップコンピューティングデバイス、タブレットコンピューティングデバイス、ネットブック、ウルトラブック、スマートフォン等のようなモバイルコンピューティングデバイス、又はｅＮＢであってよい。様々な実施形態において、システムは、より多くの又はより少ないコンポーネント、及び／又は、異なるアーキテクチャを有してもよい。
【００５８】
以下の複数のパラグラフは、様々な実施形態の例を説明する。
【００５９】
例１は、実行される場合、２６より大きい第１のトランスポートブロックサイズ（ＴＢＳ）インデックスを判断すべく、進化型ＮｏｄｅＢ（ｅＮＢ）から受信される第１のダウンリンク制御情報（ＤＣＩ）を処理する段階と、第１のＴＢＳインデックスに基づいてＴＢＳを選択する段階と、第１のダウンリンク送信を処理すべくＴＢＳを使用する段階と、２６より大きな第２のＴＢＳインデックスを判断すべく、ＤＣＩフォーマット１ＡでｅＮＢから受信される第２のＤＣＩを処理する段階と、ＴＢＳインデックスが２６より大きいことに基づいて、第２のＤＣＩを破棄する段階をユーザ機器（ＵＥ）に引き起こす複数の命令を有し、第２のＤＣＩに対応する巡回冗長検査（ＣＲＣ）がページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によってスクランブルされる、１又は複数の非一時的コンピュータ可読媒体を含む。
【００６０】
例２は、実行される場合、複数の命令は、第２のＤＣＩに基づいて変調及び符号化スキーム（ＭＣＳ）インデックスを判断し、第２のＴＢＳインデックスをＭＣＳインデックスに等しくセットする段階を、ＵＥに引き起こす、例１に記載の１又は複数の非一時的コンピュータ可読媒体を含む。
【００６１】
例３は、ＵＥは、２５６直交振幅変調変換を処理するよう構成された例１−２のいずれかに記載の１又は複数の非一時的コンピュータ可読媒体を含む。
【００６２】
例４は、実行される場合、複数の命令は、格納テーブルを参照することにより、第１のＴＢＳインデックスに基づいてＴＢＳを判断する段階をＵＥに引き起こす、例１−３のいずれかに記載の１又は複数の非一時的コンピュータ可読媒体を含む。
【００６３】
例５は、実行される場合、複数の命令は、送信パワー制御（ＴＰＣ）コマンドの最下位ビット（ＬＳＢ）が０である場合に列インジケータを２に等しくセットし、ＴＰＣコマンドのＬＳＢが０に等しくない場合に列インジケータを３に等しくセットする段階と、さらに列インジケータに基づいてＴＢＳを判断する段階とをＵＥに引き起こす、例４に記載の１又は複数の非一時的コンピュータ可読媒体を含む。
【００６４】
例６は、進化型ＮｏｄｅＢ（ｅＮＢ）との無線通信を容易にする無線周波数（ＲＦ）フロントエンドと、ページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされるＤＣＩフォーマット１Ａを有するダウンリンク制御情報（ＤＣＩ）を、ＲＦフロントエンドを介してｅＮＢから受信し、ＤＣＩがトランスポートブロックサイズ（ＴＢＳ）テーブルの行を参照することを判断し、２６より大きい行に基づくＤＣＩを破棄するＲＦフロントエンドと結合された通信回路とを含み、行は、ＴＢＳテーブルに存在し、２６より大きい、ユーザ機器（ＵＥ）を含む。
【００６５】
例７は、ＤＣＩが第１のＤＣＩであって、行は第１の行であり、通信回路はさらに、ｅＮＢからＲＦフロントエンドを介して、Ｐ−ＲＮＴＩ、ＳＩ−ＲＮＴＩ、又はＲＡ−ＲＮＴＩ以外の無線ネットワーク一時識別子（ＲＮＴＩ）によりスクランブルされた第２のＤＣＩを受信し、ＴＢＳテーブルの第２の行を第２のＤＣＩが参照することを判断し、ＤＣＩをＴＢＳテーブルに基づくＴＢＳを判断するために利用し、第２の行は２６より大きい、例６に記載のＵＥを含む。
【００６６】
例８は、通信回路が、さらに、ＴＢＳに基づいて物理ダウンリンク共有チャネル（ＰＤＳＣＨ）送信を処理する、例７に記載のＵＥを含む。
【００６７】
例９は、通信回路が、２５６−直交振幅変調を有するように構成される、例８に記載のＵＥを含む。
【００６８】
例１０は、通信回路が、さらに、ＤＣＩに基づいて変調及び符号化スキーム（ＭＣＳ）インデックスを判断し、ＴＢＳインデックスをＭＣＳインデックスに等しくなるようにセットし、ＴＢＳインデックスに基づいてＴＢＳテーブルの行を判断する、例６−９のいずれかに記載のＵＥを含む。
【００６９】
例１１は、通信回路がさらに、送信パワー制御（ＴＰＣ）コマンドの最下位ビット（ＬＳＢ）が０である場合、列インジケータを２に等しくなるようにセットし、ＴＰＣコマンドのＬＳＢが０に等しくない場合には、列インジケータを３に等しくなるようにセットし、列インジケータに基づいてＴＢＳテーブルの列を判断する、例１０に記載のＵＥを含む。
【００７０】
例１２は、ダウンリンク制御情報（ＤＣＩ）に対応する巡回冗長検査（ＣＲＣ）がページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされるか否かを判断する段階と、ＤＣＩにより参照される送信ブロックサイズ（ＴＢＳ）テーブルの行を判断する段階と、ＣＲＣがＰ−ＲＮＴＩ、ＳＩ−ＲＮＴＩ、又はＲＡ−ＲＮＴＩによりスクランブルされるか否かの上記判断及びＤＣＩにより参照されるＴＢＳテーブルの行の上記判断に基づいて、ＤＣＩを使用すべきか又はＤＣＩを破棄すべきかを判断する段階とを有する方法を含む。
【００７１】
例１３は、ＤＣＩを使用するか又はＤＣＩを破棄するかの上記判断は、ＣＲＣがＰ−ＲＮＴＩ、ＳＩ−ＲＮＴＩ、又はＲＡ−ＲＮＴＩによりスクランブルされ、行が２６より少ないかそれに等しい場合、ＤＣＩを使用してＴＢＳを選択する段階と、ＣＲＣがＰ−ＲＮＴＩ、ＳＩ−ＲＮＴＩ、又はＲＡ−ＲＮＴＩによりスクランブルされ、行が２６より大きい場合にＤＣＩを破棄する段階とを有する例１２に記載の方法を含む。
【００７２】
例１４は、ＤＣＩに基づいて変調及び符号化スキーム（ＭＣＳ）インデックスを判断する段階と、ＴＢＳインデックスをＭＣＳインデックスに等しくセットする段階と、ＴＢＳインデックスに基づいてＴＢＳテーブルの行を判断する段階とをさらに有する、例１２−１３のいずれかに記載の方法を備える。
【００７３】
例１５は、送信パワー制御（ＴＰＣ）コマンドの最下位ビット（ＬＳＢ）が０である場合、列インジケータを２に等しくセットする段階と、ＴＰＣコマンドのＬＳＢが０に等しくない場合に、列インジケータを３に等しくセットする段階と、列インジケータに基づいて行からＴＢＳを選択する段階とをさらに有する、例１２−１４のいずれかに記載の方法を備える。
【００７４】
例１６は、ＴＢＳに基づいて物理ダウンリンク共有チャネル（ＰＤＳＣＨ）を処理する段階をさらに有する例１５の方法を含む。
【００７５】
例１７は、ダウンリンク制御情報（ＤＣＩ）がＤＣＩフォーマット１Ａメッセージにより送信されること、及び巡回冗長検査（ＣＲＣ）がページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）により、スクランブルされることを判断し、ＤＣＩがＤＣＩフォーマット１Ａメッセージで送信され、ＣＲＣがＰ−ＲＮＴＩ、ＳＩ−ＲＮＴＩ、又はＲＡ−ＲＮＴＩによりスクランブルされるべきとの上記判断に基づいて、送信ブロックサイズ（ＴＢＳ）をＴＢＳテーブルの０から２６の複数の行に配置された値に制限し、及び、ＴＢＳのインジケーションによってＤＣＩフォーマット１Ａメッセージを生成する通信回路と、ＤＣＩフォーマット１Ａメッセージを送信すべく、通信回路と結合した無線周波数（ＲＦ）フロントエンドとを有する、進化型ＮｏｄｅＢ（ｅＮＢ）を含む。
【００７６】
例１８は、通信回路が、ＤＣＩフォーマット１Ａメッセージを含むべく物理ダウンリンク制御チャネル（ＰＤＣＣＨ）送信を生成し、ＲＦフロントエンドがＰＤＣＣＨ送信を送信する、例１７に記載のｅＮＢを含む。
【００７７】
例１９は、通信回路が、ＴＢＳの送信ブロックを有する物理ダウンリンク共有チャネル（ＰＤＳＣＨ）送信をさらに生成し、ＲＦフロントエンドが、ＰＤＳＣＨ送信を送信する、例１７−１８のいずれかに記載のｅＮＢを含む。
【００７８】
例２０は、通信回路が２５６直交振幅変調を使用してダウンリンク送信を生成する、例１７−１９のいずれかに記載のｅＮＢを含む。
【００７９】
例２１は、インジケーションが、ＴＢＳテーブルの０から２６の複数の行の１つに対応する変調及び符号化スキーム（ＭＣＳ）インデックスである、例１７−２０のいずれかに記載のｅＮＢを含む。
【００８０】
例２２は、イーサネット（登録商標）ネットワークとの通信を容易にするためのインタフェースをさらに有する、例１７−２１のいずれかに記載のｅＮＢを含む。
【００８１】
例２３は、ＤＣＩは、第１のＤＣＩであり、ＴＢＳは第１のＴＢＳであり、通信回路は、第２のＤＣＩが２５６−直交振幅変調（ＱＡＭ）送信を処理可能なＵＥに送信されるべきかを判断し、２６より大きな数のＴＢＳテーブルの行に配置された値である、第２のＴＢＳのインジケーションによって第２のＤＣＩを生成する、例１７から２２のいずれかに記載のｅＮＢを含む。
【００８２】
例２４は、ダウンリンク制御情報（ＤＣＩ）に対応する巡回冗長検査（ＣＲＣ）がページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）によりスクランブルされるか否かを判断するための手段と、ＤＣＩにより参照される送信ブロックサイズ（ＴＢＳ）テーブルの行を判断するための手段と、ＣＲＣがＰ−ＲＮＴＩ、ＳＩ−ＲＮＴＩ、又はＲＡ−ＲＮＴＩによりスクランブルされるか否かの上記判断及びＤＣＩにより参照されるＴＢＳテーブルの行の上記判断に基づいて、ＤＣＩを使用すべきか又はＤＣＩを破棄すべきかを判断する手段とを有する装置を含む。
【００８３】
例２５は、ＤＣＩを使用するか又はＤＣＩを破棄するかの上記判断は、ＣＲＣがＰ−ＲＮＴＩ、ＳＩ−ＲＮＴＩ、又はＲＡ−ＲＮＴＩによりスクランブルされ、行が２６より少ないかそれに等しい場合、ＤＣＩを使用してＴＢＳを選択する段階と、ＣＲＣがＰ−ＲＮＴＩ、ＳＩ−ＲＮＴＩ、又はＲＡ−ＲＮＴＩによりスクランブルされ、行が２６より大きい場合にＤＣＩを破棄する段階とを含む例２４に記載の装置を含む。
【００８４】
例２６は、ＤＣＩに基づいて変調及び符号化スキーム（ＭＣＳ）インデックスを判断する手段と、ＴＢＳインデックスをＭＣＳインデックスに等しくセットする手段と、ＴＢＳインデックスに基づいてＴＢＳテーブルの行を判断するための手段とをさらに有する、例２４−２５のいずれかに記載の装置を含む。
【００８５】
例２７は、送信パワー制御（ＴＰＣ）コマンドの最下位ビット（ＬＳＢ）が０である場合、列インジケータを２に等しくなるようにセットし、ＴＰＣコマンドのＬＳＢが０に等しくない場合には、列インジケータを３に等しくなるようにセットするための手段と、
列インジケータに基づいて行からＴＢＳを選択するための手段とをさらに有する、例２４−２６のいずれかに記載の装置を含む。
【００８６】
例２８は、ＴＢＳに基づいて物理ダウンリンク共有チャネル（ＰＤＳＣＨ）を処理するための手段をさらに有する、例２４−２７のいずれかに記載の装置を含む。
【００８７】
例２９は、ダウンリンク送信を送信する方法であって、上記方法は、ダウンリンク制御情報（ＤＣＩ）がＤＣＩフォーマット１Ａメッセージにおいて送信されること、及び、巡回冗長検査（ＣＲＣ）がページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）に基づいてスクランブルされることを判断する段階と、ＤＣＩがＤＣＩフォーマット１Ａメッセージで送信され、ＣＲＣがＰ−ＲＮＴＩ、ＳＩ−ＲＮＴＩ、又はＲＡ−ＲＮＴＩによりスクランブルされるとの上記判断に基づいて、送信ブロックサイズ（ＴＢＳ）をＴＢＳテーブルの０から２６の複数の行に配置された値に制限する段階と、ＴＢＳのインジケーションによってＤＣＩフォーマット１Ａメッセージを生成する段階と、ＤＣＩフォーマット１Ａメッセージを送信する段階とを含む。
【００８８】
例３０は、ＤＣＩフォーマット１Ａメッセージを有する物理ダウンリンク制御チャネル（ＰＤＣＣＨ）送信を生成し、ＰＤＣＣＨ送信を送信する段階をさらに有する、例２９に記載の方法を含む。
【００８９】
例３１は、ＴＢＳの送信ブロックを有する物理ダウンリンク共有チャネル（ＰＤＳＣＨ）送信を生成し、ＰＤＳＣＨ送信を送信する段階をさらに有する、例２９−３０のいずれかに記載の方法を含む。
【００９０】
例３２は、２５６直交振幅変調を使用してダウンリンク送信をさらに生成する、例２９−３１のいずれかに記載の方法を含む。
【００９１】
例３３は、インジケーションが、ＴＢＳテーブルの０から２６の複数の行の１つに対応する変調及び符号化スキーム（ＭＣＳ）インデックスである、例２９−３１のいずれかに記載の方法を含む。
【００９２】
例３４は、例２９−３３のいずれかの方法を実行するよう構成された装置を含む。
【００９３】
例３５は、実行される場合、複数の命令が、ダウンリンク制御情報（ＤＣＩ）がＤＣＩフォーマット１Ａメッセージで送信されること、及び、巡回冗長検査（ＣＲＣ）がページング無線ネットワーク一時識別子（Ｐ−ＲＮＴＩ）、システム情報無線ネットワーク一時識別子（ＳＩ−ＲＮＴＩ）、又はランダムアクセス無線ネットワーク一時識別子（ＲＡ−ＲＮＴＩ）に基づいてスクランブルされることを判断する段階と、ＤＣＩがＤＣＩフォーマット１Ａメッセージにおいて送信され、ＣＲＣがＰ−ＲＮＴＩ、ＳＩ−ＲＮＴＩ、又はＲＡ−ＲＮＴＩによりスクランブルされるとの上記判断に基づいて、送信ブロックサイズ（ＴＢＳ）をＴＢＳテーブルの０から２６の複数の行に配置された値に制限する段階と、ＴＢＳのインジケーションによってＤＣＩフォーマット１Ａメッセージを生成する段階を、進化型ＮｏｄｅＢ(ｅＮＢ)に引き起こす１又は複数の非一時的コンピュータ可読媒体を含む。
【００９４】
例３６は、実行される場合、複数の命令が、ＤＣＩフォーマット１Ａメッセージを有する物理ダウンリンク制御チャネル（ＰＤＣＣＨ）送信を生成し、ＰＤＣＣＨ送信を送信する段階を、さらにｅＮＢに引き起こす、例３５に記載の１又は複数の非一時的コンピュータ可読媒体を含む。
【００９５】
例３７は、実行される場合、複数の命令が、ＴＢＳの送信ブロックを有する物理ダウンリンク共有チャネル（ＰＤＳＣＨ）送信を生成し、ＰＤＳＣＨ送信を送信する段階を、さらにｅＮＢに引き起こす、例３５−３６のいずれかに記載の１又は複数の非一時的コンピュータ可読媒体を含む。
【００９６】
例３８は、実行される場合、複数の命令が、２５６−直交振幅変調を使用してダウンリンク送信を生成する段階を、ｅＮＢにさらに引き起こす、例３５−３７のいずれかに記載の１又は複数の非一時的コンピュータ可読媒体を含む。
【００９７】
例３９は、インジケーションは、ＴＢＳテーブルの０から２６の複数の行の１つに対応する変調及び符号化スキーム（ＭＣＳ）インデックスである、例３５−３８のいずれかに記載の１又は複数の非一時的コンピュータ可読媒体を含む。
【００９８】
要約書に記載されるものを含み、示される実装の本明細書の記載は、網羅的であること、又は正確に開示される形式に本開示を限定することを意図しない。複数の具体的な実装及び複数の例が、例示の目的のために本明細書に記載されているが、その一方で、関連技術の当業者であれば認識するであろうが、様々な均等な変形形態が開示の範囲内で可能である。これらの変形は、上記の詳細な説明に照らして本開示になされ得る。
【図１】
0006504674.tif 000004
【図２】
0006504674.tif 000005
【図３】
0006504674.tif 000006
【図４】
0006504674.tif 000007